(57)【要約】【課題】内容物の排出操作性に優れた袋を提供する。【解決手段】袋は、内容物を収容する収容部を備える袋であって、袋の第１面を構成する第１フィルムと、第１面に対向する第２面を構成する第２フィルムであって、第１フィルムとの間に収容部を画成する第２フィルムと、袋の外縁に沿って延びるとともに互いに対向し、第１フィルムと第２フィルムとを接合する第１側部シール部及び第２側部シール部と、第１フィルムと第２フィルムとの間に位置し、第１側部シール部から第２側部シール部に延びるチャックテープと、第１側部シール部に位置し、第１フィルム及び第２フィルムを含み、第１フィルムと第２フィルムとの間に、収容部に収容されている内容物が注出されるときに内容物が流通する流通路が形成される注出口部と、流通路への又は流通路における内容物の流通を制限する流通路制限シール部と、を備える。【選択図】図１
2020142820.tif 000002
【特許請求の範囲】
【請求項１】
内容物を収容する収容部を備える袋であって、
前記袋の第１面を構成する第１フィルムと、
前記第１面に対向する第２面を構成する第２フィルムであって、前記第１フィルムとの間に前記収容部を画成する第２フィルムと、
前記袋の外縁に沿って延びるとともに互いに対向し、前記第１フィルムと前記第２フィルムとを接合する第１側部シール部及び第２側部シール部と、
前記第１フィルムと前記第２フィルムとの間に位置し、前記第１側部シール部から前記第２側部シール部に延びるチャックテープと、
前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される注出口部と、
前記流通路への又は前記流通路における前記内容物の流通を制限する流通路制限シール部と、を備える、袋。
【請求項２】
前記注出口部は、前記流通路を囲む注出口シール部を有し、
前記流通路制限シール部は、前記流通路に位置し、前記注出口シール部と離間している、請求項１に記載の袋。
【請求項３】
前記注出口部は、前記流通路を囲む注出口シール部を有し、
前記流通路制限シール部は、前記流通路に位置し、前記注出口シール部と接続している、請求項１に記載の袋。
【請求項４】
前記流通路制限シール部は、前記収容部に位置する、請求項１に記載の袋。
【請求項５】
内容物を収容する収容部を備える袋であって、
前記袋の第１面を構成する第１フィルムと、
前記第１面に対向する第２面を構成する第２フィルムであって、前記第１フィルムとの間に前記収容部を画成する第２フィルムと、
前記袋の外縁に沿って延びるとともに互いに対向し、前記第１フィルムと前記第２フィルムとを接合する第１側部シール部及び第２側部シール部と、
前記第１フィルムと前記第２フィルムとの間に位置し、前記第１側部シール部から前記第２側部シール部に延びるチャックテープと、
前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される注出口部と、
少なくとも部分的に前記流通路に位置し、前記流通路の延びる方向に沿って延びる流通路分割シール部と、を備える、袋。
【請求項６】
内容物を収容する収容部を備える袋であって、
前記袋の第１面を構成する第１フィルムと、
前記第１面に対向する第２面を構成する第２フィルムであって、前記第１フィルムとの間に前記収容部を画成する第２フィルムと、
前記袋の外縁に沿って延びるとともに互いに対向し、前記第１フィルムと前記第２フィルムとを接合する第１側部シール部及び第２側部シール部と、
前記第１フィルムと前記第２フィルムとの間に位置し、前記第１側部シール部から前記第２側部シール部に延びるチャックテープと、
前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される注出口部と、を備え、
前記第１側部シール部は、前記第１側部シール部の延びる方向にみて、前記注出口部のチャックテープ側に位置する第１側部上側シール部と、前記注出口部のチャックテープ側とは反対側に位置する第１側部下側シール部と、を有し、
前記注出口部は、前記流通路を囲む注出口シール部を有し、
前記注出口シール部は、前記第１側部シール部の延びる方向にみて、前記流通路のチャックテープ側に位置する第１部分と、前記流通路のチャックテープ側とは反対側に位置する第２部分と、を有し、
前記第１部分は、前記第１側部上側シール部に対して９０度以下の角度を成して外側に延び、
前記第２部分は、前記第１側部下側シール部に対して９０度よりも大きな角度を成して外側に延びる、袋。
【請求項７】
内容物を収容する収容部を備える袋であって、
前記袋の第１面を構成する第１フィルムと、
前記第１面に対向する第２面を構成する第２フィルムであって、前記第１フィルムとの間に前記収容部を画成する第２フィルムと、
前記袋の外縁に沿って延びるとともに互いに対向し、前記第１フィルムと前記第２フィルムとを接合する第１側部シール部及び第２側部シール部と、
前記第１フィルムと前記第２フィルムとの間に位置し、前記第１側部シール部から前記第２側部シール部に延びるチャックテープと、
前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される、少なくとも２以上の注出口部と、を備える、袋。
【請求項８】
前記少なくとも２以上の注出口部の前記流通路は、形状が異なっている、請求項７に記載の袋。
【発明の詳細な説明】
【技術分野】
【０００１】
本発明は、内容物の調理に用いられる袋に関する。
【背景技術】
【０００２】
収容部に内容物を収容し、収容された内容物の調理に用いられる袋が知られている。調理用の袋として、特に袋本体の上部開口部の近傍にチャックテープが設けられたものが知られている（例えば、特許文献１参照）。このような袋によれば、例えば、以下のように調理に用いることができる。
【０００３】
収容部に小麦粉を主体とする粉体を収容し、チャックテープで封鎖すると共に、チャックテープの外側の上部にヒートシールをした状態で袋を販売する。消費者は、チャックテープの外側の部分を開封し、更にチャックテープを開封し、その後、上部開口部及びチャックテープを介して液体、卵、具などの追加材料を収容部に導入する。その後、消費者は、チャックテープを封鎖して、収容部において粉体と追加材料とを混ぜ合わせる。その後、消費者は、チャックテープを再度開封し、上部開口部及びチャックテープを介して、混ぜ合わされた材料を袋の外部に出す。このようにして、消費者は、袋を用いて、材料を混ぜ合わせるなどの調理を行うことができる。
【先行技術文献】
【特許文献】
【０００４】
【特許文献１】特開２００５−２３１６９３号公報
【発明の概要】
【発明が解決しようとする課題】
【０００５】
前述の袋では、チャックテープを介して、混ぜ合わされた材料を収容部から外部へ取り出している。一方、チャックテープは一般に、袋の幅方向全域にわたって延びており、チャックテープの幅を任意に調整することは容易ではない。このため、チャックテープを介して内容物を袋の外部へ取り出す場合、内容物を少量ずつ排出したり、細く排出したりするなど、所望の量、形状又は方向にて排出することは難しく、つまり、排出操作性が低い。
【０００６】
本発明は、収容部に収容されている内容物の排出操作性に優れた袋を提供することを目的とする。
【課題を解決するための手段】
【０００７】
本発明は、内容物を収容する収容部を備える袋であって、前記袋の第１面を構成する第１フィルムと、前記第１面に対向する第２面を構成する第２フィルムであって、前記第１フィルムとの間に前記収容部を画成する第２フィルムと、前記袋の外縁に沿って延びるとともに互いに対向し、前記第１フィルムと前記第２フィルムとを接合する第１側部シール部及び第２側部シール部と、前記第１フィルムと前記第２フィルムとの間に位置し、前記第１側部シール部から前記第２側部シール部に延びるチャックテープと、前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される注出口部と、前記流通路への又は前記流通路における前記内容物の流通を制限する流通路制限シール部と、を備える、袋である。
【０００８】
本発明による袋において、前記注出口部は、前記流通路を囲む注出口シール部を有し、前記流通路制限シール部は、前記流通路に位置し、前記注出口シール部と離間していてもよい。
【０００９】
本発明による袋において、前記注出口部は、前記流通路を囲む注出口シール部を有し、前記流通路制限シール部は、前記流通路に位置し、前記注出口シール部と接続していてもよい。
【００１０】
本発明による袋において、前記流通路制限シール部は、前記収容部に位置してもよい。
【００１１】
また、本発明は、内容物を収容する収容部を備える袋であって、前記袋の第１面を構成する第１フィルムと、前記第１面に対向する第２面を構成する第２フィルムであって、前記第１フィルムとの間に前記収容部を画成する第２フィルムと、前記袋の外縁に沿って延びるとともに互いに対向し、前記第１フィルムと前記第２フィルムとを接合する第１側部シール部及び第２側部シール部と、前記第１フィルムと前記第２フィルムとの間に位置し、前記第１側部シール部から前記第２側部シール部に延びるチャックテープと、前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される注出口部と、少なくとも部分的に前記流通路に位置し、前記流通路の延びる方向に沿って延びる流通路分割シール部と、を備える、袋である。
【００１２】
また、本発明は、内容物を収容する収容部を備える袋であって、前記袋の第１面を構成する第１フィルムと、前記第１面に対向する第２面を構成する第２フィルムであって、前記第１フィルムとの間に前記収容部を画成する第２フィルムと、前記袋の外縁に沿って延びるとともに互いに対向し、前記第１フィルムと前記第２フィルムとを接合する第１側部シール部及び第２側部シール部と、前記第１フィルムと前記第２フィルムとの間に位置し、前記第１側部シール部から前記第２側部シール部に延びるチャックテープと、前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される注出口部と、を備え、前記第１側部シール部は、前記第１側部シール部の延びる方向にみて、前記注出口部のチャックテープ側に位置する第１側部上側シール部と、前記注出口部のチャックテープ側とは反対側に位置する第１側部下側シール部と、を有し、前記注出口部は、前記流通路を囲む注出口シール部を有し、前記注出口シール部は、前記第１側部シール部の延びる方向にみて、前記流通路のチャックテープ側に位置する第１部分と、前記流通路のチャックテープ側とは反対側に位置する第２部分と、を有し、前記第１部分は、前記第１側部上側シール部に対して９０度以下の角度を成して外側に延び、前記第２部分は、前記第１側部下側シール部に対して９０度よりも大きな角度を成して外側に延びる、袋である。
【００１３】
また、本発明は、内容物を収容する収容部を備える袋であって、前記袋の第１面を構成する第１フィルムと、前記第１面に対向する第２面を構成する第２フィルムであって、前記第１フィルムとの間に前記収容部を画成する第２フィルムと、前記袋の外縁に沿って延びるとともに互いに対向し、前記第１フィルムと前記第２フィルムとを接合する第１側部シール部及び第２側部シール部と、前記第１フィルムと前記第２フィルムとの間に位置し、前記第１側部シール部から前記第２側部シール部に延びるチャックテープと、前記第１側部シール部に位置し、前記第１フィルム及び前記第２フィルムを含み、前記第１フィルムと前記第２フィルムとの間に、前記収容部に収容されている前記内容物が注出されるときに前記内容物が流通する流通路が形成される、少なくとも２以上の注出口部と、を備える、袋である。
【００１４】
本発明による袋において、前記少なくとも２以上の注出口部の前記流通路は、形状が異なっていてもよい。
【発明の効果】
【００１５】
本発明によれば、収容部に収容されている内容物の排出操作性に優れた袋を提供することができる。
【図面の簡単な説明】
【００１６】
【図１】本発明の実施の形態における袋を示す正面図である。
【図２】積層体の層構成の一例を示す断面図である。
【図３】積層体の層構成の他の一例を示す断面図である。
【図４】図１に示す袋をＩＶ線に沿って見た場合を示す断面図である。
【図５】図１に示す袋の注出口部の付近を拡大して示す正面図である。
【図６】上部が封止された状態の袋を示す正面図である。
【図７】図６に示す袋をＶＩＩ線に沿って見た場合を示す断面図である。
【図８】開封機構を用いて開封された状態の袋を示す断面図である。
【図９】チャックテープによって封止された状態の袋を示す断面図である。
【図１０】開封予定部において注出口部を破断させた状態の袋を示す正面図である。
【図１１】開封予定部において注出口部を破断させた状態の注出口部の付近を拡大して示す正面図である。
【図１２】注出口を用いて袋から内容物を注出する様子を示す図である。
【図１３】流通路制限シール部の第２の変形例を示す図である。
【図１４】流通路制限シール部の第３の変形例を示す図である。
【図１５】袋の第１の変形例を示す図である。
【図１６】袋の第２の変形例を示す図である。
【図１７】袋の第３の変形例を示す図である。
【図１８】袋の第３の変形例を示す図である。
【図１９】袋の第４の変形例を示す図である。
【図２０】袋の第５の変形例を示す図である。
【発明を実施するための形態】
【００１７】
以下、図１乃至図１２を参照して、本発明の実施の形態について説明する。なお、本件明細書に添付する図面においては、図示と理解のしやすさの便宜上、縮尺及び縦横の寸法比等を、実物のそれらから適宜変更し誇張してある。
【００１８】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１９】
袋
図１は、本実施の形態における袋１０を表面側から見た場合を示す正面図である。袋１０は、内容物を収容する収容部１８を備える。なお、図１においては、内容物が収容される前の、上部１１が開口している状態の袋１０が示されている。上部１１は、袋１０に内容物を収容した後に封止される。本実施の形態による袋１０は、袋１０に内容物を収容した状態で、内容物の調理を行うことができる調理用パウチとして好適に使用することができるよう構成されている。なお、「調理」は、広く解釈され、食に供される状態まで調理する場合（「完成調理」ともいう）のみならず、食に供される状態の手前まで調理する場合（袋１０を用いた調理の後に追加調理が必要な場合。「半完成調理」ともいう）も含む。調理の例としては、加熱、混合などを挙げることができる。混合とは、袋１０に収容されている２種類以上の内容物を混ぜることである。袋１０を用いた混合作業の際の消費者の動作の例としては、揉む、振る、押し潰すなどを挙げることができる。また、「混合」（混ぜる）とは、予め粉体や液状調味料などが入った容器に水や卵や肉、野菜などの別の材料を加え、容器を密閉した上で内容物を混ぜ合わせる調理のことをいう。また、「揉む」とは、容器を密閉した上で容器ごと内容物を揉んだり押したりして混ぜることをいう。また「振る」とは、容器を密閉した上で容器を上下左右などに振って内容物を混ぜることをいう。
【００２０】
袋１０に収容される内容物としては、例えば、粉体（粒体を含む）、液体、流動性を有する食材、刻まれた食材が挙げられる。内容物は、第１内容物と第２内容物とに大別される。第１内容物は、メーカーにより、商品販売時に予め収容部１８に収容されている場合と、収容部１８が空の状態で袋１０を入手した消費者が、後述する開口部を介して収容部１８に導入する場合と、がある。第２内容物は、消費者により、第１内容物が収容されている収容部１８に、開口部を介して更に導入される材料である。
【００２１】
半完成調理における第１内容物としては、例えば、いわゆる「プレミックス」（Ｐｒｅｐａｒｅｄ  Ｍｉｘの略称、ｐｒｅ−ｍｉｘ）、小麦粉（薄力粉）、強力粉（例えばパン用）、てんぷら粉が挙げられる。プレミックスは、ケーキ，パンなどを簡便に調理できる調整粉で、小麦粉等の粉類（澱粉を含む）に糖類，油脂，粉乳，卵粉、膨張剤，食塩，香料などを必要に応じて適正に配合したものである。プレミックスとしては、ホットケーキミックス、お好み焼きミックス、パンミックス、クッキーミックス、もんじゃ焼きミックスが挙げられる。また、オムレツ用の具材として、例えば、ハム、生クリーム、カット野菜、半調理された野菜、冷凍野菜が挙げられる。
【００２２】
また、半完成調理又は完成調理における第１内容物としては、惣菜、プロテイン（粉）、アミノ酸（粉）、青汁（粉）等の健康食品、ダイエット食品、ドライフルーツ、シリアル、果物、ナッツ、菓子、デザート、乾燥した大豆ミート、インスタント焼きそば、その他加工食品、食事代替用の各種の粉体が挙げられる。また、粉末珈琲、スポーツ飲料、その他粉末の飲料の素が挙げられる。また、かつお節又は昆布などの出汁の材料が挙げられる。
【００２３】
第２内容物としては、例えば、牛乳、豆乳、ジュース、珈琲、紅茶、水などの液体、卵などの流動性を有する食材、チーズ、チョコレート等の、刻まれたり、溶けて流動性を有したりする食材、ベーキングパウダー、食塩、糖類、香辛料などの粉体、各種液状調味料、イースト菌などの酵母、氷が挙げられる。
【００２４】
完成調理において、第１内容物としての氷菓（シャーベット状アイスなど）、アイスクリーム類などの冷菓と、第２内容物としてのミルクやシロップ等の飲料用の液体とを混合することで、フローズン状の飲料を容易に作成することができる。
【００２５】
本発明の袋１０は、ケーキやオムレツのように混合された材料に空気を多く含ませてふんわりと焼く場合に適している。また、珈琲などの飲料を泡立てて混合する場合にも適している。
【００２６】
なお、本実施の形態に係る袋１０を用いて調理され得る限りにおいて、第１内容物及び第２内容物として、上記以外のものを選択することが可能である。
【００２７】
本実施の形態においては、袋１０の使い方に関し、一例として、上部１１が封止された状態の袋１０に予め第１内容物が収容されており、これに消費者が更に第２内容物を追加した状態で、第１内容物と第２内容物とを混合させる、という使い方を想定して、袋１０について説明する。
【００２８】
本実施の形態において、袋１０は、自立可能に構成された底ガセット式の袋である。袋１０は、上部１１、下部１２、第１側部１３及び第２側部１４を含み、正面図において略矩形状の輪郭を有する。なお、「上部」、「下部」及び「側部」などの名称、並びに、「上方」などの用語は、ガセット部を下にして袋１０が自立している状態を基準として袋１０やその構成要素の位置や方向を相対的に表したものに過ぎない。袋１０の輸送時や使用時の姿勢などは、本明細書における名称や用語によっては限定されない。
【００２９】
以下、袋１０の構成について説明する。本実施の形態による袋１０は、第１フィルム１５、第２フィルム１６、第３フィルム１７、チャックテープ３０、注出口部４及び流通路制限シール部５１を備える。第１フィルム１５は袋１０の表面を構成し、第２フィルム１６は袋１０の裏面を構成し、第３フィルム１７は袋１０の下部１２を構成している。第３フィルム１７は、折り返し部１７ｆで折り返された状態で、第１フィルム１５と第２フィルム１６との間に配置されている。チャックテープ３０は、消費者が第２内容物を袋１０に投入した後に袋１０を封止するための構成要素である。チャックテープ３０は、第１フィルム１５の内面に接合された第１部材３１と、第２フィルム１６の内面に接合された第２部材３２とを有する。第１部材３１は、図１に示す第１接合部３１ａ及び第１嵌合部３１ｂを有する。第２部材３２は、図１に示す第２接合部３２ａ及び第２嵌合部３２ｂを有する。開封機構７０は、消費者が第２内容物を袋１０に投入する際に袋１０を開封するための構成要素である。注出口部４は、収容部１８に収容されている内容物を注出するための構成要素である。注出口部４は、内容物を注出するときに内容物が流通する流通路４０を有する。流通路制限シール部５１は、流通路４０への、又は流通路４０における内容物の流通を制限する構成要素である。なお、図１においては、第２フィルム１６などの、袋１０を表面側から見た場合には視認されない構成要素が点線で表されている。
【００３０】
なお、上述の「第１フィルム」、「第２フィルム」及び「第３フィルム」という用語は、袋１０の表面、裏面又は下部１２に位置するといった、袋１０における位置関係に応じて各フィルムを区画したものに過ぎず、袋１０を製造する際のフィルムの提供方法が、上述の用語によって限定されることはない。例えば、袋１０は、第１フィルム１５と第２フィルム１６と第３フィルム１７が連設された１枚のフィルムを用いて製造されてもよく、第１フィルム１５と第３フィルム１７が連設された１枚のフィルムと１枚の第２フィルム１６の計２枚のフィルムを用いて製造されてもよく、１枚の第１フィルム１５と１枚の第２フィルム１６と１枚の第３フィルム１７の計３枚のフィルムを用いて製造されてもよい。
【００３１】
第１フィルム１５、第２フィルム１６及び第３フィルム１７は、内面同士がシール部によって接合されている。図１などの平面図においては、シール部と、後述する第１接合部３１ａ及び第２接合部３２ａにハッチングが施されている。
【００３２】
図１に示すように、シール部は、袋１０の外縁に沿って延びる外縁シール部を有する。外縁シール部は、下部１２に広がる下部シール部１２１、第１側部１３に沿って延びる第１側部シール部１３１、及び、第１側部１３に対向する第２側部１４に沿って延びる第２側部シール部１４１を含む。なお、内容物が収容される前の状態の袋１０においては、図１に示すように、袋１０の上部１１は第１開口部１１ｂになっている。袋１０に内容物を収容した後、第１フィルム１５の内面と第２フィルム１６の内面とを上部１１において接合することにより、上部シール部が形成されて袋１０が密閉される。
【００３３】
第１側部シール部１３１、第２側部シール部１４１及び上部シール部は、第１フィルム１５の内面と第２フィルム１６の内面とを接合することによって構成されるシール部である。一方、下部シール部１２１は、第１フィルム１５の内面と第３フィルム１７の内面とを接合することによって構成されるシール部、及び、第２フィルム１６の内面と第３フィルム１７の内面とを接合することによって構成されるシール部を含む。
【００３４】
図１に示すように、第１側部シール部１３１は、第１側部シール部１３１の延びる方向にみて、後述する注出口部４のチャックテープ３０側に位置する第１側部上側シール部１３１ａと、注出口部４のチャックテープ３０が位置する側とは反対側に位置する第１側部下側シール部１３１ｂと、を有する。ここで、第１側部シール部１３１の延びる方向とは、例えば第１側部シール部１３１の内縁１３１ｃの延びる方向を意味する。
【００３５】
対向するフィルム同士を接合して袋１０を密閉することができる限りにおいて、シール部を形成するための方法が特に限られることはない。例えば、加熱などによってフィルムの内面を溶融させ、内面同士を溶着させることによって、すなわちヒートシールによって、シール部を形成してもよい。若しくは、接着剤などを用いて対向するフィルムの内面同士を接着することによって、シール部を形成してもよい。
【００３６】
次に、第１フィルム１５及び第２フィルム１６を構成する積層体２１の層構成について説明する。図２及び図３は、積層体２１の層構成の一例を示す断面図である。
【００３７】
積層体２１は、基材層２６及びシーラント層２７を少なくとも含む。図２に示す例においては、基材層２６が積層体２１の外面２１ｙを構成し、シーラント層２７が積層体２１の内面２１ｘを構成している。図２に示す例において、積層体２１は、積層体２１の外面２１ｙから内面２１ｘに向かって、基材層２６、基材層２６とシーラント層２７とを接着する接着層２８、及びシーラント層２７を、この順に含む。この場合、積層体２１の厚みは、例えば６０μｍ以上であり、より好ましくは７０μｍ以上である。また、積層体２１の厚みは、例えば１１０μｍ以下であり、より好ましくは１００μｍ以下である。また、積層体２１は、図３に示すように、基材層２６とシーラント層２７との間に位置する中間層２４を更に含んでいてもよい。この場合、積層体２１は、図３に示すように、積層体２１の外面２１ｙから内面２１ｘに向かって、基材層２６、基材層２６と中間層２４とを接着する接着層２８、中間層２４、中間層２４とシーラント層２７とを接着する接着層２５、及びシーラント層２７を、この順に含んでいてもよい。また、積層体２１は、図２及び図３に示す層以外の層を更に含んでいてもよい。
【００３８】
基材層２６を構成する材料としては、例えば、ポリエチレンテレフタレートやポリブチレンテレフタレートなどのポリエステルやナイロンなどのポリアミドや高密度ポリエチレンやポリプロピレンといったポリオレフィンなどのプラスチックを用いることができる。基材層２６の厚みは、例えば１０μｍ以上かつ３０μｍ以下である。
【００３９】
中間層２４を構成する材料としては、例えば、金属箔又は蒸着フィルムを用いることができる。これにより、中間層２４は、水蒸気や酸素などのガスに対してガスバリア性を有する。中間層２４に用いられる金属箔は、例えばアルミニウム箔である。中間層２４に用いられる蒸着フィルムは、例えば基材と基材に蒸着された蒸着膜とを備える。この場合、基材としては、例えばポリエチレンテレフタレート（ＰＥＴ）又はポリアミド（ＰＡ）を用いることができ、蒸着膜としては、例えばアルミニウム又は無機酸化物を用いることができる。
【００４０】
シーラント層２７を構成する材料としては、例えば、エチレン−メタクリル酸共重合体（ＥＭＭＡ）や低密度ポリエチレン（ＬＤＰＥ）や直鎖状低密度ポリエチレン（ＬＬＤＰＥ）などのポリエチレンやポリプロピレンを用いることができる。シーラント層２７の厚みは、例えば４０μｍ以上であり、より好ましくは５０μｍ以上である。また、シーラント層２７の厚みは、例えば１００μｍ以下であり、より好ましくは７０μｍ以下である。
【００４１】
接着層２５及び接着層２８の構成は任意である。例えば、接着層２５及び接着層２８は、押し出し法によって形成される層であってもよく、ドライラミネート法によって形成される層であってもよい。例えば、エクストルージョンコーター（不図示）などを用いた押し出し法により接着層２８を介して基材層２６と中間層２４とが接着され、接着層２５を介して中間層２４とシーラント層２７とが接着されてもよい。また、ウレタン系などの接着剤からなる接着層２５及び接着層２８を用いたドライラミネート法により、基材層２６、中間層２４及びシーラント層２７を接着してもよい。
【００４２】
次に、第３フィルム１７の層構成について説明する。第１フィルム１５の内面及び第２フィルム１６の内面と接合可能な内面を有する限りにおいて、第３フィルム１７の層構成は任意である。例えば、第１フィルム１５及び第２フィルム１６と同様に、第３フィルム１７として上述の積層体２１を用いてもよい。若しくは、内面がシーラント層によって構成され、且つ積層体２１とは異なる構成のフィルムを、第３フィルム１７として用いてもよい。
【００４３】
チャックテープ
次に、図１及び図４を参照して、チャックテープ３０について説明する。図４は、袋１０を図１のＩＶ線に沿って切断した場合を示す断面図である。チャックテープ３０は、図１に示すように、第１側部シール部１３１の延びる方向にみて、後述する注出口部の位置を基準として、第３フィルム１７側とは反対側に位置する。
【００４４】
第１部材３１は、第１接合部３１ａと第１嵌合部３１ｂとを有する。また、第２部材３２は、第２接合部３２ａと第２嵌合部３２ｂとを有する。第２嵌合部３２ｂは、第１嵌合部３１ｂと嵌合可能に構成されている。また、第１接合部３１ａは第１フィルム１５の内面に接合されている。また、第２接合部３２ａは第２フィルム１６の内面に接合されている。図４に示すように、第１嵌合部３１ｂは、第１接合部３１ａが第１フィルム１５の内面に接合されていることによって、第１フィルム１５に固定されている。また、第２嵌合部３２ｂは、第２接合部３２ａが第２フィルム１６の内面に接合されていることによって、第１嵌合部３１ｂと嵌合可能なように、第２フィルム１６に固定されている。図４においては、第１嵌合部３１ｂと第２嵌合部３２ｂとが嵌合した様子を示している。図１などの平面図においては、第１フィルム１５の内面に接合されている第１接合部３１ａ及び第２フィルム１６の内面に接合されている第２接合部３２ａに、シール部に施されたハッチングとは異なるハッチングが施されている。
【００４５】
第１接合部３１ａを第１フィルム１５の内面に接合する方法、及び第２接合部３２ａを第２フィルム１６の内面に接合する方法は、特に限定されない。例えば、加熱などによって第１接合部３１ａと第１フィルム１５の内面、及び第２接合部３２ａと第２フィルム１６の内面とを溶融させ、第１接合部３１ａと第１フィルム１５の内面とを溶着させ、第２接合部３２ａと第２フィルム１６の内面とを溶着させることによって接合してもよい。若しくは、接着剤などを用いて第１接合部３１ａと第１フィルム１５の内面とを接着し、第２接合部３２ａと第２フィルム１６の内面とを接着することによって接合してもよい。
【００４６】
第１接合部３１ａ及び第２接合部３２ａは、第１フィルム１５又は第２フィルム１６の内面と接合可能な面を有する。また、第１接合部３１ａ及び第２接合部３２ａは、第１フィルム１５又は第２フィルム１６の変形に追従して変形可能な程度の厚みを有する。第１接合部３１ａ及び第２接合部３２ａの厚みは、例えば４０μｍ以下であり、３０μｍ以下であってもよい。第１接合部３１ａ及び第２接合部３２ａを構成する材料としては、ポリプロピレン（ＰＰ）又はポリエチレン（ＰＥ）などを用いることができる。
【００４７】
第１嵌合部３１ｂ及び第２嵌合部３２ｂの形状は、互いに嵌合可能である限り、特に限定されない。具体的には、図４に示すように、第１嵌合部３１ｂを雄型、第２嵌合部３２ｂを雌型とすることができる。また、図示はしないが、第１嵌合部３１ｂを雌型、第２嵌合部３２ｂを雄型とすることもできる。
【００４８】
第１嵌合部３１ｂ及び第２嵌合部３２ｂは、内容物の加熱時に溶融したり損傷したりしない程度の耐熱性を有してもよい。この場合、第１嵌合部３１ｂ及び第２嵌合部３２ｂを構成する材料としては、ＰＰ、ＰＥなどを用いることができる。第１嵌合部３１ｂは、第１接合部３１ａと一体的に構成されていてもよい。また、第２嵌合部３２ｂは、第２接合部３２ａと一体的に構成されていてもよい。なお、「一体的」とは、両者の間に接合面などの界面が存在しないことを意味する。
【００４９】
本実施の形態においては、図１に示すように、チャックテープ３０は、第１側部シール部１３１から第２側部シール部１４１に延びる。図１に示す例においては、第１接合部３１ａ、第１嵌合部３１ｂ、第２接合部３２ａ及び第２嵌合部３２ｂがそれぞれ、第１側部シール部１３１から第２側部シール部１４１に延びている。このため、第１嵌合部３１ｂと第２嵌合部３２ｂが嵌合されているとき、袋１０の収容部１８が外界から隔離される。この場合、収容部１８は、第１接合部３１ａ、第１嵌合部３１ｂ、第２嵌合部３２ｂ、第２接合部３２ａ、第１フィルム１５、第２フィルム１６及び第３フィルム１７によって囲われる。
【００５０】
開封機構
次に、開封機構７０について説明する。開封機構７０は、第１フィルム１５及び第２フィルム１６を破断させて、上述の収容部１８に連通する開口部を形成するための構成要素である。図１及び図４に示すように、開封機構７０は、チャックテープ３０と、後述する上部シール部との間の位置において第１フィルム１５及び第２フィルム１６を破断させ、開口部を形成する。以下、開封機構７０を利用して第１フィルム１５及び第２フィルム１６を破断させることによって形成された開口部のことを、第２開口部とも称する。
【００５１】
図１に示す例において、開封機構７０は、開封開始機構７１を有する。開封開始機構７１は、第１フィルム１５及び第２フィルム１６の破断を開始させるための構成要素である。開封開始機構７１は、例えば、第１側部シール部１３１又は第２側部シール部１４１の少なくともいずれか一方に設けられる。図１に示す例において、開封開始機構７１は、第１側部シール部１３１及び第２側部シール部１４１に設けられている。開封開始機構７１の具体的な態様は、チャックテープ３０と後述する上部シール部との間の位置において第１フィルム１５及び第２フィルム１６に破断を開始させることができる限り、特に限定されない。開封開始機構７１として、例えば、第１側部シール部１３１又は第２側部シール部１４１に設けられた切り欠き又は切り込みを用いることができる。開封開始機構７１として切り欠きを用いる場合、切り欠きは、例えば、幅が一定の矩形の形状を有する。切り欠きは、第１側部１３側から第２側部１４側に向かうにつれて先細りになる形状を有してもよい。図１に示す例においては、開封開始機構７１として、矩形の形状を有する切り欠きが用いられている。
【００５２】
図示はしないが、開封機構７０は、開封補助機構を有してもよい。開封補助機構は、開封開始機構７１によって生じさせた第１フィルム１５及び第２フィルム１６の破断の進行方向を、所望の方向に誘導するための構成要素である。開封補助機構は、例えば、レーザー加工やカッターなどで形成されたハーフカット線などの易開封線である。ここで、ハーフカット線とは、第１フィルム１５又は第２フィルム１６の一部に形成される凹部であって、第１フィルム１５又は第２フィルム１６を貫通するものではない形状のものを指す。開封機構７０が開封補助機構を有する場合、開封補助機構によって、切り欠きによって開始させた破断を、開封補助機構に沿って進行させ、開封機構７０の位置において、後述する開封開口部を形成することができる。
【００５３】
また、図示はしないが、袋１０は、開封機構７０を備えなくてもよい。この場合、消費者は、第１フィルム１５及び第２フィルム１６を、手で引き裂いたり、ハサミで切断したりすることによって、第２開口部を形成してもよい。第２開口部を形成する位置には、第２開口部を形成する位置であることを消費者に示すための表示が印刷などによって設けられていてもよい。
【００５４】
注出口部
次に、注出口部４について説明する。図５は、図１に示す袋１０の注出口部４の付近を拡大して示す図である。注出口部４は、収容部１８に収容されている内容物を注出するための構成要素である。注出口部４は、図１に示すように、第１側部シール部１３１の延びる方向にみて、チャックテープ３０の位置を基準として、開封機構７０側とは反対側に位置する。注出口部４は、図１に示すように、第１フィルム１５及び第２フィルム１６を含む。図１及び図５に示す例において、注出口部４は、第１フィルム１５及び第２フィルム１６と同じ材料で構成されている。第１フィルム１５と第２フィルム１６との間には、収容部１８に収容されている内容物が注出されるときに内容物が流通する流通路４０が形成される。図１及び図５に示す例において、注出口部４は、流通路４０と、流通路４０を囲む注出口シール部４７と、開封されることによって流通路４０に連通する注出口となる開封予定部４８と、を有する。図５に示す例において、開封予定部４８は、点４８ｃ及び点４８ｄにて、注出口シール部４７の内縁と交わる。
【００５５】
流通路４０は、第１フィルム１５と第２フィルム１６との間に形成され、袋１０から突出した通路であり、収容部１８に収容されている内容物が注出されるときに内容物が流通する通路である。
【００５６】
流通路４０の範囲について、特に収容部１８との関係に関して説明する。例えば、第１側部シール部１３１の内縁１３１ｃよりも外側に位置する未シール部分を、流通路４０と定義することができる。例えば、第１側部上側シール部１３１ａの内縁１３１ｃと第１側部下側シール部１３１ｂの内縁１３１ｃとを結ぶ、図５に一点鎖線で示す直線Ｌ１よりも外側に位置する未シール部分を、流通路４０と定義することができる。この場合、直線Ｌ１よりも内側に位置する未シール部分を収容部１８と定義することができる。なお本願において、「内側」とは、袋１０の中心点に近づく側であり、「外側」とは、袋１０の中心点から遠ざかる側である。
【００５７】
図５に示す例において、流通路４０の延びる方向は、第１側部シール部１３１の延びる方向と直交する。ここで、流通路４０の延びる方向は、例えば以下の方法によって定義される。まず、後述する開封予定部４８と注出口シール部４７の内縁とが交わる一方の点４８ｃを通り、点４８ｃにおける注出口シール部４７の内縁の延びる方向に延びる、図５に一点鎖線で示す直線Ｌ３を描く。また、開封予定部４８と他方の注出口シール部４７の内縁とが交わる他方の点４８ｄを通り、点４８ｄにおける注出口シール部４７の内縁の延びる方向に延びる、図５に一点鎖線で示す直線Ｌ４を描く。この場合に、直線Ｌ３と直線Ｌ４とがなす角の二等分線である、図５に一点鎖線で示す直線Ｌ５の延びる方向を、流通路４０の延びる方向と定義することができる。
【００５８】
注出口シール部４７は、図５に示すように、流通路４０を外側から囲むシール部である。図５に示すように、注出口シール部４７は、第１側部シール部１３１と接続されている。図５に示す例において、注出口シール部４７は、上側において第１側部シール部１３１の第１側部上側シール部１３１ａに接続され、下側において第１側部シール部１３１の第１側部下側シール部１３１ｂに接続されている。注出口シール部４７は、第１側部シール部１３１などと同様に、第１フィルム１５の内面と第２フィルム１６の内面とを接合することによって構成される。注出口シール部４７を形成する方法は、例えば、第１側部シール部１３１を形成する方法と同様である。
【００５９】
図５に示す例において、注出口シール部４７は、第１側部シール部１３１の延びる方向にみて、流通路４０のチャックテープ３０側に位置する第１部分４７１と、流通路４０のチャックテープ３０側とは反対側に位置する第２部分４７２と、を有する。図５に示す例において、第１部分４７１は、第１側部上側シール部１３１ａに接続されており、第２部分４７２は、第１側部下側シール部１３１ｂに接続されている。図５に示す例において、注出口シール部４７は、注出口部４の先端に位置して第１部分４７１と第２部分４７２とを接続する、第３部分４７３を更に有する。第３部分４７３は、開封予定部４８において注出口部４を破断させる際に、袋１０の収容部１８側から切り離される部分に相当する。
【００６０】
第１部分４７１及び第２部分４７２は、図５に示すように、第１側部シール部１３１の延びる方向における第１部分４７１と第２部分４７２との間の間隔が、袋１０の外側に向かうにつれて少なくとも部分的に小さくなるよう、構成されていてもよい。これにより、流通路４０と収容部１８との境界における流通路４０の幅を、開封予定部４８における流通路４０の幅に比べて大きくすることができる。このことにより、内容物が収容部１８から流通路４０に流入し易くなる。また、開封予定部４８における流通路４０の幅を小さくすることにより、開封予定部４８に形成される注出口の幅を小さくすることができ、これにより、注出口から注出される内容物の注出量、注出方向や注出位置を制御し易くなる。
【００６１】
開封予定部４８は、流通路４０に連通する注出口となる部分である。図５に示す例において、開封予定部４８は、流通路４０を横切るように直線状に延びている。図５に示す例において、開封予定部４８は、開封される際に第１フィルム１５及び第２フィルム１６が破断する予定の線である、二点鎖線で示す開封予定線４８ｆを有する。開封予定線４８ｆには、開封場所であることを消費者に示すための表示が印刷などによって設けられていてもよい。開封予定部４８が開封予定線４８ｆを有する場合、消費者は、開封予定線４８ｆにおいて、第１フィルム１５及び第２フィルム１６を、手で引き裂いたり、ハサミで切断したりすることによって、注出口を形成することができる。
【００６２】
流通路制限シール部
次に、流通路制限シール部５１について説明する。流通路制限シール部５１は、収容部１８から流通路４０への内容物の流通、又は流通路４０における内容物の流通を制限するシール部である。
【００６３】
図５に示す例において、流通路制限シール部５１は、流通路４０のうち開封予定部４８よりも収容部１８側に位置し、注出口シール部４７及び第１側部シール部１３１と離間した、１つのシール部である。流通路制限シール部５１は、第１側部シール部１３１及び注出口シール部４７などと同様に、第１フィルム１５の内面と第２フィルム１６の内面とを接合することによって構成される。注出口シール部４７を形成する方法は、例えば、第１側部シール部１３１及び注出口シール部４７を形成する方法と同様である。
【００６４】
流通路制限シール部５１が設けられている場合、流通路４０のうち流通路制限シール部５１の周囲においては、第１フィルム１５と第２フィルム１６との間の間隔が狭くなり、内容物が通りにくくなる。このため、流通路制限シール部５１を設けることにより、収容部１８から、流通路制限シール部５１と注出口シール部４７との間、又は流通路制限シール部５１と第１側部シール部１３１との間を通って開封予定部４８に至る内容物の流通を制限することができる。これにより、開封予定部４８に形成される注出口に至る内容物の流量が大き過ぎることに起因して内容物の閉塞が生じてしまうことを抑制することができる。
【００６５】
図５において、符号Ｗ１は、開封予定部４８と注出口シール部４７の内縁とが交わる点４８ｃ及び４８ｄを結ぶ線分４８ｉの長さを表す。また、符号Ｗ２は、流通路制限シール部５１と注出口シール部４７の第１部分４７１との距離を表し、符号Ｗ３は、流通路制限シール部５１と注出口シール部４７の第２部分４７２との距離を表す。図５に示すように、距離Ｗ２及び距離Ｗ３のそれぞれが、注出口の幅Ｗ１よりも小さくてもよい。距離Ｗ２と距離Ｗ３との合計の距離が、注出口の幅Ｗ１よりも小さくてもよい。これによって、流通路４０において、特に流通路制限シール部５１と第１部分４７１との間及び流通路制限シール部５１と第２部分４７２との間にて、内容物の流通を更に制限することができる。
【００６６】
袋の製造方法
次に、本実施の形態における袋１０の製造方法について説明する。まず、第１フィルム１５、第２フィルム１６、第１部材３１及び第２部材３２を準備する。なお、第１フィルム１５、第２フィルム１６、第１部材３１、第２部材３２はそれぞれ、第１部材３１の第１嵌合部３１ｂ及び第２部材３２の第２嵌合部３２ｂの延びる方向に沿って延びる長尺状の部材として準備されてもよい。
【００６７】
次に、第１部材３１の第１接合部３１ａを第１フィルム１５の内面に接合し、第２部材３２の第２接合部３２ａを第２フィルム１６の内面に接合する。また、第１フィルム１５及び第２フィルム１６の下部１２側に、折り返した状態の第３フィルム１７を挿入し、各フィルムの内面同士をヒートシールして、下部シール部１２１、第１側部シール部１３１、第２側部シール部１４１、注出口シール部４７、流通路制限シール部５１などのシール部を形成する。
【００６８】
その後、ヒートシールによって互いに接合された各フィルムを、袋１０の形状に切り抜く。このようにして、図１に示す袋１０を得ることができる。
【００６９】
第１内容物の充填方法
次に、上述の袋１０に第１内容物を充填する方法について説明する。まず、図１及び図４に示す袋１０の上部１１の第１開口部１１ｂ、及び第１嵌合部３１ｂと第２嵌合部３２ｂとの間を介して、第１内容物６１を袋１０に充填する。次に、第１内容物６１が収容された袋１０の上部１１をヒートシールして上部シール部１１１を形成する。このようにして、第１内容物６１が収容され封止された袋１０を得ることができる。図６は、上部１１が封止された状態の袋１０を示す正面図である。また、図７は、袋１０を図６のＶＩＩ線に沿って切断した場合を示す断面図である。なお、第１内容物６１を袋１０に充填した後に、図７に示すように第１嵌合部３１ｂと第２嵌合部３２ｂとを嵌合させてもよい。
【００７０】
袋の使用方法
次に、第１内容物６１が収容された袋１０を消費者が使用する方法の一例について説明する。図８は、開封された状態の袋１０を示す断面図である。まず、消費者は、開封機構７０のノッチを利用して、チャックテープ３０と上部シール部１１１との間の位置において第１フィルム１５及び第２フィルム１６を破断させる。また、第１内容物６１を袋１０に充填した後に第１嵌合部３１ｂと第２嵌合部３２ｂとを嵌合させた場合には、消費者は、第１部材３１と第２部材３２との間を広げるように袋１０に力を加えて、第１嵌合部３１ｂと第２嵌合部３２ｂとの間の嵌合を外す。このようにして、図８に示すように、収容部１８に連通する第２開口部１１ｃを袋１０に形成して、袋１０を開封することができる。
【００７１】
続いて、消費者は、第２開口部１１ｃを介して第２内容物を袋１０の収容部１８に追加する。次に、消費者は、第１内容物６１と第２内容物とを混合させる。第１内容物６１と第２内容物との混合は、例えば以下のようにして行うことができる。まず、図８に示すように、第１嵌合部３１ｂと第２嵌合部３２ｂとを嵌合させて、袋１０を再び封止する。続いて、袋１０ごと、第１内容物６１及び第２内容物を手で揉む。これによって、第１内容物６１及び第２内容物を混合させ、図８に示すように、第１内容物６１と第２内容物との混合物６３を得ることができる。
【００７２】
第１内容物６１及び第２内容物を混合させ、混合物６３を得た後、消費者は、図１０に示すように、開封予定部４８において注出口部４を破断させる。これによって、図１１に示すように、注出口部４に、流通路４０に連通する注出口４９を形成する。図１１は、図１０に示す開封予定部４８において注出口４９を形成した場合の袋１０の、注出口部４の付近を拡大して示す図である。次に、図１２に示すように、袋１０を手Ｈで絞る。これによって、収容部１８の混合物６３を、流通路４０及び注出口４９を介して注出することができる。なお、図１２は、袋１０がチャックテープ３０の延びる方向に延びる線に沿って畳まれた状態で、袋１０を手Ｈで絞る様子を示している。
【００７３】
以下、本実施の形態に係る袋１０の効果について説明する。本実施の形態に係る袋１０は、注出口部４を備える。このため、図１０に示すように、チャックテープ３０の嵌合を外すことによって形成される第２開口部１１ｃの幅よりも大幅に小さい、注出口４９を形成することができる。これによって、適量の内容物を注出する操作を容易に行うことができる。また、チャックテープ３０を通すことなく内容物を注出することができるので、内容物がチャックテープ３０に付着することを抑制することができる。
【００７４】
また、本実施の形態に係る袋１０は、流通路４０に位置する流通路制限シール部５１を備える。内容物は、注出口シール部４７の第１部分４７１との間、又は流通路制限シール部５１と注出口シール部４７の第２部分４７２との間のいずれか一方を通らない限り、注出口４９から注出されない。このため、収容部１８から流通路４０に流入した後に注出口４９に至る内容物の流量を制限することができる。これによって、袋１０が流通路制限シール部５１を備えない場合よりも、内容物を少量ずつ注出する操作を、より容易とすることができる。このように、注出口部４によって内容物の排出操作性を向上することができる。
【００７５】
本実施の形態において、好ましくは、第１側部シール部１３１の延びる方向における第１部分４７１と第２部分４７２との間の間隔が、袋１０の外側に向かうにつれて少なくとも部分的に小さくなるよう、構成されている。これにより、流通路４０と収容部１８との境界における流通路４０の幅を、開封予定部４８における流通路４０の幅に比べて大きくすることができ、内容物が収容部１８から流通路４０に流入し易くなる。また、流通路制限シール部５１を設けることにより、収容部１８から流通路４０に流入した後に注出口４９に至る内容物の流量を制限することができる。このため、注出口４９の幅を狭くし、内容物の排出操作性を維持しながら、注出口４９において内容物の閉塞が生じてしまうことを抑制することができる。
【００７６】
（注出口から注出される内容物の変形例）
上述の実施の形態においては、第１内容物６１と第２内容物との混合物６３が注出口４９から注出される例を示した。しかしながら、これに限られることはなく、第１内容物又は第２内容物のいずれか一方が主に注出口４９から注出されてもよい。例えば、第１内容物が固形物であり、第２内容物が流動体である場合を考える。第１内容物の寸法が、注出口シール部４７の第１部分４７１との間の空間の寸法、又は流通路制限シール部５１と注出口シール部４７の第２部分４７２との間の空間の寸法よりも小さい場合、第１内容物は、注出口シール部４７の第１部分４７１との間、又は流通路制限シール部５１と注出口シール部４７の第２部分４７２との間を通って注出口４９に至ることができない。一方、第２内容物は、注出口シール部４７の第１部分４７１との間、又は流通路制限シール部５１と注出口シール部４７の第２部分４７２との間を通って注出口４９に至ることができる。このため、注出口部４を用いて内容物を注出する際に、第１内容物を袋１０内に残して、第２内容物を注出口４９から注出することができる。このように、注出口部４によって内容物の排出操作性を向上することができる。例えば、第１内容物としてかつお節又は昆布などの出汁の材料、第２内容物として水を用い、加熱の調理を行って出汁をとった場合に、かつお節又は昆布などの出汁の材料を袋１０内に残して出汁を注出することができる。また、第１内容物として乾燥した大豆ミート、第２材料としてお湯を用い、大豆ミートを湯戻しする調理を行った場合に、湯戻しした大豆ミートを袋１０内に残しつつ、注出口４９を介してお湯を捨てることもできる。また、第１内容物としてインスタント焼きそば、第２材料としてお湯を用い、インスタント焼きそばを調理した場合に、インスタント焼きそばを袋１０内に残しつつ、注出口４９を介してお湯を捨てることもできる。
【００７７】
（流通路制限シール部の第１の変形例）
上述の実施の形態においては、流通路制限シール部５１が、距離Ｗ２と距離Ｗ３との合計の距離が注出口４９の幅Ｗ１よりも小さくなる位置に位置する例を示した。しかしながら、これに限られることなく、流通路制限シール部５１は、距離Ｗ２及び距離Ｗ３のそれぞれが注出口４９の幅Ｗ１よりも小さくなる位置であって、距離Ｗ２と距離Ｗ３との合計の距離が注出口４９の幅Ｗ１以上となる位置に位置してもよい。
【００７８】
（流通路制限シール部の第２の変形例）
上述の実施の形態及び各変形例においては、流通路制限シール部５１が注出口シール部４７と離間している例を示した。しかしながら、これに限られることなく、例えば図１３に示すように、流通路制限シール部５１は、注出口シール部４７と接続していてもよい。例えば図１３に示すように、シール部が、開封予定部４８又は注出口４９よりも収容部１８側において、流通路４０の幅を注出口４９の幅Ｗ１よりも小さく制限する部分を有する場合に、袋１０が注出口シール部４７に接続されている流通路制限シール部５１を備えているとみなすことができる。この場合、流通路制限シール部５１を、例えば以下のように定義することができる。まず、開封予定部４８と注出口シール部４７の内縁とが交わる点４８ｃ及び４８ｄを通り、点４８ｃ及び４８ｄのそれぞれにおいて注出口シール部４７の内縁の延びる方向に延びる直線Ｌ３及びＬ４を描く。そして、開封予定部４８又は注出口４９よりも収容部１８側において、直線Ｌ３又は直線Ｌ４よりも流通路４０側に位置するシール部を、流通路制限シール部５１と定義することができる。図１３に示す例においては、直線Ｌ４よりも流通路４０側に位置するシール部を、流通路制限シール部５１と定義することができる。この場合、図１３に示す流通路制限シール部５１は、注出口シール部４７の第２部分４７２と接続しているといえる。図１３に示す例においては、流通路制限シール部５１と注出口シール部４７の第１部分４７１との距離Ｗ２が、注出口の幅Ｗ１よりも小さくなっている。
【００７９】
（流通路制限シール部５１の第３の変形例）
上述の実施の形態及び変形例においては、袋１０が流通路４０に位置する例を示した。しかしながら、これに限られることなく、流通路制限シール部５１は、例えば図１４に示すように、収容部１８に位置してもよい。図１４に示す例において、流通路制限シール部５１は、収容部１８に位置する弧状のシール部である。図１４に示す例においては、流通路制限シール部５１と、注出口シール部４７の第１部分４７１との距離Ｗ２、及び流通路制限シール部５１と注出口シール部４７の第２部分４７２との距離Ｗ３のそれぞれが、注出口４９の幅Ｗ１よりも小さくなっている。第２の変形例に係る流通路制限シール部５１によれば、収容部１８から流通路４０への内容物の流通を制限することができる。
【００８０】
（流通路制限シール部の第４の変形例）
上述の実施の形態及び各変形例においては、袋１０が１つの流通路制限シール部を備える例を示した。しかしながら、これに限られることなく、袋１０は、複数の流通路制限シール部５１を備えていてもよい。この場合、少なくとも１つの流通路制限シール部５１と注出口シール部４７又は第１側部シール部１３１との距離、若しくは少なくとも１組の流通路制限シール部５１同士の距離が、注出口４９の幅Ｗ１よりも小さくなっていてもよい。
【００８１】
（袋の第１の変形例）
上述の実施の形態及び各変形例においては、流通路４０への又は流通路４０における内容物の流通を制限する流通路制限シール部５１を備えることによって、排出操作性の向上された袋１０を示した。しかしながら、これに限られることなく、袋１０は、例えば図１５に示すように、流通路４０の延びる方向に沿って延びる流通路分割シール部５２を備えていることによって、排出操作性が向上されていてもよい。流通路分割シール部５２は、図１５に示すように、流通路４０の延びる方向に沿って延びる。ここで、流通路４０の延びる方向に沿って延びる、とは、例えば直線Ｌ５となす角が０度以上１５度以下である方向に沿って延びることを意味する。また、流通路分割シール部５２は、図１５に示すように、少なくとも部分的に流通路４０に位置する。流通路制限シール部５１は、少なくとも部分的に、流通路４０のうち開封予定部４８よりも収容部１８側に位置する。図１５に示す例において、流通路分割シール部５２は、開封予定部４８を横切って延び、注出口シール部４７の第３部分４７３に接続している。
【００８２】
袋１０が流通路分割シール部５２を備えることによって、流通路分割シール部５２を備えない場合よりも、内容物が流通路４０を流れる方向が限定される。このため、注出口部４を用いて内容物を注出する際に、内容物を所望の方向に注出しやすくすることができる。
【００８３】
また、袋１０が流通路分割シール部５２を備えることによって、図１５に示すように、流通路４０が、流通路４０の全体と比較して幅の小さい複数の小流通路に分割される。図１５に示す例においては、流通路４０が、第１小流通路４０ａ及び第２小流通路４０ｂの２つの小流通路に分割される。特に、図１５に示す例においては、流通路分割シール部５２が開封予定部４８を横切って延びるために、開封予定部４８において、流通路４０が、複数の小流通路に分割される。これによって、特に内容物がマヨネーズなどの粘性を有する流動体などである場合に、注出口部４を用いて内容物を注出する際に、内容物を小流通路の数に応じた複数の線状の形態にて注出することができる。このように、注出口部４によって内容物の排出操作性を向上することができる。
【００８４】
（袋の第２の変形例）
袋１０の流通路４０の延びる方向は、例えば図１６に示すように、第１側部シール部１３１の延びる方向と直交しなくてもよい。図１６に示す例においては、注出口シール部４７の第１部分４７１が第１側部上側シール部１３１ａに対して９０度以下の角度θ１を成して外側に延び、注出口シール部４７の第２部分４７２が第１側部下側シール部１３１ｂに対して９０度よりも大きな角度θ２を成して外側に延びる。なお、注出口シール部４７の第１部分４７１及び第２部分４７２における内縁と外縁との延びる方向が異なる場合には、第１部分４７１及び第２部分４７２の内縁の延びる方向が、第１部分４７１及び第２部分４７２の延びる方向と定義されてもよい。また、第１部分４７１及び第２部分４７２の内縁が、直線部分４７１ａ及び４７２ａを含む場合、注出口シール部４７の第１部分４７１が第１側部上側シール部１３１ａに対して成す角度θ１は、例えば、第１部分４７１の内縁の直線部分４７１ａが第１側部上側シール部１３１ａに対して成す角度であってもよい。また、注出口シール部４７の第２部分４７２が第１側部下側シール部１３１ｂに対して成す角度θ２は、例えば、第２部分４７２の内縁の直線部分４７２ａが第１側部下側シール部１３１ｂに対して成す角度であってもよい。注出口シール部４７の第１部分４７１及び第２部分４７２が上述の通りに延びることによって、袋１０の流通路４０は、袋１０の上部１１側に内容物が注出されるように第１側部シール部１３１の延びる方向と直交しない方向に延びる。
【００８５】
このような注出口シール部４７及び流通路４０を有する注出口部４を備える袋１０から内容物を注出する方法について、内容物が液体である場合を例として説明する。まず、袋１０を、第１側部シール部１３１の延びる方向が水平面に垂直となる状態で支持する。次に、内容物である液体の液面が少なくとも流通路４０の位置まで達するように、袋１０の第１側部１３側を第２側部１４側に対して下げるように、袋１０を傾ける。これによって、流通路４０を介して内容物を注出することができる。
【００８６】
袋の第２の変形例に係る袋１０は、例えば内容物が液体である場合において上述のように袋１０から内容物を注出するとき、流通路４０内において内容物の流れる方向を上方に向け、内容物の流速を低下させることができる。このため、所望の位置に適量の内容物を注出することを容易にすることができる。このように、注出口部４によって内容物の排出操作性を向上することができる。
【００８７】
（袋の第３の変形例）
流通路４０の延びる方向が第１側部シール部１３１の延びる方向と直交しない袋１０に関し、注出口シール部４７の第１部分４７１の内縁は、異なる方向に延びる複数の直線部分を含んでもよい。また、注出口シール部４７の第２部分４７２の内縁は、異なる方向に延びる複数の直線部分を含んでもよい。図１７に示す例においては、注出口シール部４７の第１部分４７１の内縁が、異なる方向に延びる複数の直線部分４７１ａ及び４７１ｂを含む場合を示している。また、図１８に示す例においては、注出口シール部４７の第２部分４７２の内縁が、異なる方向に延びる複数の直線部分４７２ａ、４７２ｂ及び４７２ｃを含む場合を示している。これらの場合、注出口シール部４７の第１部分４７１が第１側部上側シール部１３１ａに対して成す角度θ１は、例えば図１７に示すように、第１部分４７１の内縁の複数の直線部分のうち、開封予定部４８と接する直線部分４７１ａが第１側部上側シール部１３１ａに対して成す角度であってもよい。また、注出口シール部４７の第２部分４７２が第１側部下側シール部１３１ｂに対して成す角度θ２は、例えば図１８に示すように、第２部分４７２の内縁の複数の直線部分のうち、開封予定部４８と接する直線部分４７２ａが第１側部下側シール部１３１ｂに対して成す角度であってもよい。
【００８８】
また、開封予定部４８は、図１８に示すように、注出口部４に注出口を形成し易くするための易開封機構を有してもよい。例えば開封予定部４８は、袋１０のうち、その他の部分に比べて破断され易くなるような加工が施されている易開封線を有してもよい。易開封線は、注出口部４を破断させて注出口を形成する作業を容易化するために、第１フィルム１５及び第２フィルム１６に形成される。易開封線の例としては、レーザー加工やカッターなどで形成されたハーフカット線、又はミシン目によって形成された線などを挙げることができる。この場合、互いにほぼ平行に延びる複数の易開封線が設けられていてもよい。また、第１フィルム１５および第２フィルム１６を構成する積層フィルムの中に延伸フィルムを包含させ、延伸フィルムの延伸方向と開封予定部４８の延びる方向とを一致させてもよい。また開封予定部４８は、端部にノッチを有してもよい。図１８に示す例において、開封予定部４８は、つまみ部４８ｇと、易開封線４８ｈと、開封予定線４８ｆとを有する。つまみ部４８ｇは、開封予定部４８において注出口部４を開封する際に指で摘ままれる部分である。図１８に破線によって示す易開封線４８ｈは、第１フィルム１５と第２フィルム１６とのシール部に位置し、つまみ部４８ｇの輪郭の一部を画成する。図１８に二点鎖線によって示す開封予定線４８ｆは、開封される際に第１フィルム１５及び第２フィルム１６が破断する予定の線である。易開封線４８ｈを破断させ、その破断方向に沿って注出口部４を破断させることによって、開封予定線４８ｆに沿って注出口部４を破断させることができる。これにより、注出口を形成することができる。
【００８９】
（袋の第４の変形例）
上述の実施の形態及び各変形例においては、第１側部シール部１３１に位置する１つの注出口部４を備える袋１０を示した。しかしながら、これに限られることなく、袋１０は、例えば図１９に示すように、少なくとも２以上の注出口部４を備えてもよい。図１９に示す例において、袋１０は、第１側部シール部１３１に位置する第１注出口部４ａと第２注出口部４ｂとを備える。また、図１９に示す例において、第１側部シール部１３１は、第１注出口部４ａよりも上部側に位置する第１側部上側シール部１３１ａと、第２注出口部４ｂよりも下部側に位置する第１側部下側シール部１３１ｂと、第１注出口部４ａと第２注出口部４ｂとの間に位置する第１側部中間シール部１３１ｆとを有する。この場合、少なくとも２以上の注出口部４の形状は、互いに異なっていてもよい。図１９に示す例においては、第１注出口部４ａの注出口の幅Ｗ１ａと、第２注出口部４ｂの注出口の幅Ｗ１ｂとが、互いに異なっている。袋の第４の変形例に係る袋１０は、消費者が、袋１０の用途に応じて、注出口４９を形成する注出口部４の形状及び数を選択することができる。例えば、図１９に示す袋１０は、内容物を注出する際における消費者の所望の流量に応じて、第１注出口部４ａのみに注出口４９を形成するか、第２注出口部４ｂのみに注出口４９を形成するか、第１注出口部４ａと第２注出口部４ｂとの両方に注出口４９を形成するかを、選択することができる。このように、第１注出口部４ａと第２注出口部４ｂとによって内容物の排出操作性を向上することができる。
【００９０】
（袋の第５の変形例）
上述の実施の形態及び各変形例においては、袋１０が、第１フィルム１５、第２フィルム１６及び第３フィルム１７を備える底ガセットタイプの袋である例を示した。しかしながら、これに限られることはなく、図２０に示すように、袋１０が、第１フィルム１５及び第２フィルム１６を備える、いわゆる平パウチであってもよい。
【００９１】
（袋の使用方法の変形例）
上述の実施の形態においては、上部シール部１１１によって封止されているが、開封機構７０の箇所では開封されていない状態の袋１０に、第１内容物６１が収容されている例を示した。しかしながら、これに限られることはなく、上部シール部１１１によって封止されているが、開封機構７０の箇所では開封されていない状態の袋１０に、内容物が収容されていなくてもよい。この場合、消費者は、開封機構７０を利用して袋１０を開封した後、第２開口部１１ｃを介して内容物を袋１０の収容部１８に投入する。続いて、第１嵌合部３１ｂと第２嵌合部３２ｂとを嵌合させた後、内容物を調理してもよい。
【００９２】
なお、上述した実施の形態に対するいくつかの変形例を説明してきたが、当然に、複数の変形例を適宜組み合わせて適用することも可能である。
【符号の説明】
【００９３】
１０  袋
１１  上部
１１１  上部シール部
１１ｂ  第１開口部
１１ｃ  第２開口部
１２  下部
１２１  下部シール部
１３  第１側部
１３１  第１側部シール部
１３１ａ  第１側部上側シール部
１３１ｂ  第１側部下側シール部
１３１ｃ  内縁
１３１ｄ  外縁
１３１ｆ  第１側部中間シール部
１４  第２側部
１４１  第２側部シール部
１５  第１フィルム
１６  第２フィルム
１７  第３フィルム
１７ｆ  折り返し部
１８  収容部
２１  積層体
２１ｘ  内面
２１ｙ  外面
２４  中間層
２５  接着層
２６  基材層
２７  シーラント層
２８  接着層
３１  第１部材
３１ａ  第１接合部
３１ｂ  第１嵌合部
３２  第２部材
３２ａ  第２接合部
３２ｂ  第２嵌合部
４  注出口部
４ａ  第１注出口部
４ｂ  第２注出口部
４０  流通路
４０ａ  第１小流通路
４０ｂ  第２小流通路
４７  注出口シール部
４７１  第１部分
４７２  第２部分
４７３  第３部分
４８  開封予定部
４８ｆ  開封予定線
４８ｇ  つまみ部
４８ｈ  易開封線
４９  注出口
５１  流通路制限シール部
５２  流通路分割シール部
６１  第１内容物
６３  混合物
７０  開封機構
７１  開封開始機構
【図１】
2020142820.tif 000003
【図２】
2020142820.tif 000004
【図３】
2020142820.tif 000005
【図４】
2020142820.tif 000006
【図５】
2020142820.tif 000007
【図６】
2020142820.tif 000008
【図７】
2020142820.tif 000009
【図８】
2020142820.tif 000010
【図９】
2020142820.tif 000011
【図１０】
2020142820.tif 000012
【図１１】
2020142820.tif 000013
【図１２】
2020142820.tif 000014
【図１３】
2020142820.tif 000015
【図１４】
2020142820.tif 000016
【図１５】
2020142820.tif 000017
【図１６】
2020142820.tif 000018
【図１７】
2020142820.tif 000019
【図１８】
2020142820.tif 000020
【図１９】
2020142820.tif 000021
【図２０】
2020142820.tif 000022